(57)【要約】      （修正有）【課題】携帯電話端末から遠隔地にあるパソコンへ接続し、携帯電話端末から遠隔操作する。【解決手段】携帯電話端末に遠隔操作ソフトウェアを組み込み、操作対象のコンピュータまたは、遠隔操作信号を中継する代理パソコンに接続し、パソコンの表示画面を受信し、マウス操作の操作信号およびキーボードの操作信号を送信し、携帯電話端末の表示装置に縮小表示する。操作対象のパソコンには、遠隔操作パソコンソフトウェアをインストールしておく。【選択図】図１
2006197299.tif 000002
【特許請求の範囲】
【請求項１】
携帯電話機によって操作対象たるパソコンの表示画面を受信し、その表示画面を縮小して携帯電話機の表示盤に表示するとともに、その表示盤に表示された画面を携帯電話機に備えた操作子によって操作し、そこから発せられる操作信号を操作対象たるパソコンへ送信して操作対象たるパソコンを動作させる携帯電話を用いたパソコンの遠隔操作システム。
【請求項２】
携帯電話機によって操作対象たるパソコンの表示画面を受信し、これにキーボードとカーソルの表示を加えて表示盤に表示し、表示されたキーボードを操作するための操作信号を前記操作対象たるパソコンへ送信して操作対象たるパソコンを動作させる携帯電話を用いたパソコンの遠隔操作システム。
【請求項３】
操作対象たるパソコンを遠隔操作する携帯電話用ソフトウェア、携帯電話機からの信号によって操作対象たるパソコンを動作させる遠隔操作ソフトウェア、および操作対象たるパソコンと携帯電話機との間で情報を伝送させるための中継ソフトウェアとからなる携帯電話を用いたパソコンの遠隔操作システム。
【請求項４】
操作対象たるパソコンを遠隔操作する携帯電話用ソフトウェア、携帯電話機からの信号によって操作対象たるパソコンを動作させるサーバー用ソフトウェア、および操作対象たるパソコンと携帯電話機との間で伝送される情報を中継する代理パソコンを動作させるための中継ソフトウェアとを含む携帯電話を用いたパソコンの遠隔操作システム。
【請求項５】
携帯電話機に携帯電話用ソフトウェアと操作対象のパソコンにサーバー用ソフトウェアとをインストールしておき、携帯電話機を操作対象のコンピュータおよび遠隔操作信号を中継する代理パソコンのいずれか一方に接続して、パソコンの表示画面を受信し、携帯電話機に設けた操作子の操作信号を送信して前記操作対象のパソコンを動作させる携帯電話を用いたパソコンの遠隔操作システム。
【発明の詳細な説明】
【技術分野】
【０００１】
この発明は携帯電話機を端末機として、遠隔地に設置されたコンピュータ（以下、操作対象たるパソコンという）を遠隔操作し、その操作対象たるパソコンから出力される情報を前記携帯電話機によって受信可能にするための、携帯電話を用いたパソコンの遠隔操作システムに関するものである。
【背景技術】
【０００２】
従来、遠隔地に設置された操作対象たるパソコンを、携行した小型の端末機によって遠隔操作する例として、伝送する情報が一方向である場合には、端末機として携帯電話機を用い、自宅にある車庫のゲートや風呂に備えられたパソコンへ情報を送って前記ゲートを開閉し、あるいは風呂に注水あるいは加熱する技術などが知られている（例えば、
【特許文献２】）。
【０００３】
また、会社と外部で活動する営業員の間の連絡のように、互いに伝達すべき情報が双方向である場合には、営業員が端末機として小型のパソコン、いわゆるモバイルギヤを携行し、そのモバイルギヤと会社のパソコンとの間で互にデータを交換できるようにした技術が知られている（例えば、
【特許文献１】）。
【０００４】
近年、携帯電話の性能が向上し、伝送速度が著しく高速化され、情報を表示する液晶の表示面も大型化されるとともに、携帯電話の使用料にも定額制のものが現れ、携帯電話によって大量の情報を廉価に伝達できる環境が整いつつある。そこで、携帯電話を用いて操作対象たるパソコンを操作することができれば、従来、モバイルギヤで行っていたと同様に双方向の情報伝送が携帯電話によって可能になる。
【０００５】
しかしながら、携帯電話にそのような機能を持たせようとすると、携帯電話にもパソコンと同様の入出力装置が必要となるが、携帯電話に備えられた操作盤は面積が小さく、操作ボタンの数も少ないので、そのままではパソコンの端末機として機能させるのには、構造上の問題があった。
【０００６】
この改善策として、キーボードを機械的な手段によって拡張せんとする試みもなされているが（例えば、
【特許文献３】）、逆に携帯電話の携行性を損ねたり、携帯電話の既に慣用されている構造を大きく変更せねばならなくなったりする不具合があった。
【特許文献１】特開２００１−３３８２３７号公報
【特許文献２】特開２００２−８５９１６号公報
【特許文献３】特開２００１−３３８２３７号公報
【発明の開示】
【発明が解決しようとする課題】
【０００７】
この発明が解決しようとする問題点は、モバイル形のパソコンに代えて携帯電話機を利用せんとする際に生じる不具合であり、具体的には、携帯電話の比較的小さい画面上に、比較的大きいパソコンの画面をそのまま表示することが困難であることであり、また、携帯電話の操作ボタンは数が少ないため、沢山の文字を入力することが不便であることなどから、携帯電話機を端末機として使用することの困難を解決しようとする点である。
【課題を解決するための手段】
【０００８】
本発明は、携帯電話によって遠隔地にあるパソコンの表示画面を受信し、その信号を縮小して携帯の表示板に表示するとともに、前記表示画面に対応した操作信号を、携帯電話に備えた操作子の操作によって送信しパソコンを動作させることを最も主要な特徴とする。
【発明の効果】
【０００９】
本発明に係る携帯電話を用いたパソコン遠隔操作システムによれば、在来の携帯電話の形態や機能を大きく変更させることなく、携帯電話が遠隔操作の端末として使用できる利点がある。
【発明を実施するための最良の形態】
【００１０】
在来の携帯電話の形態や機能を大きく変更させることなく、携帯電話が遠隔操作の端末として使用可能にするという目的を、在来の携帯電話の形態や機能を損なわずに実現したものである。
【実施例１】
【００１１】
以下、本願発明の一実施例を説明する。図１は本願発明に係る携帯電話を用いたパソコンの遠隔操作システム１０を示す。図中、遠隔操作システム１０は遠隔地に設置されるパソコン２０と、それを遠隔操作するための携帯電話機２５、および必要に応じて加入される代理パソコン３０を含み、前記パソコン２０はインターネット１２を介して、あるいは代理パソコン３０とインターネット１２とを介して携帯電話機２５と接続するものである。
【００１２】
パソコン２０と携帯電話機２５とには、それぞれ表示画面２２、２３が含まれる。パソコン２０の表示画面２２に表示された画像情報２２ａは出力情報としてインターネット１２を介し、あるいは代理パソコン３０とインターネット１２とを介して携帯電話機２５へ伝送される。
【００１３】
ここで使用される携帯電話機２５は市販品であり、液晶からなる前記表示画面２３と慣用されている多数の操作ボタン２６を備えた操作盤２７を有する。操作盤２７上に配置された操作子たる操作ボタン２６は、図２で示すように、上部に電話用のファンクションボタン２６ａ、２６ｂが左右に配置され、確定ボタン２６ｃと上下左右に配置された４個一対のボタンからなるリングスイッチ２６ｄとが中央にそれぞれ配置されている。２６ｅは通話ボタン、２６ｆは遮断ボタン、２６ｈは０から９までの数字ボタンである。
【００１４】
それら電話機を操作するための操作ボタン２６は、この実施例ではパソコン２０を遠隔操作するため以下のように転用される。すなわち、ファンクションボタン２６ａはマウスモードとキーボードモードとを切り替えるための、操作モードの切り替えを行うものであり、ファンクションボタン２６を押圧操作する都度、マウスモードとキーボードとが切り替わる。マウスモードのときは、前記リングスイッチ２６ｄによって、表示画面２３上に表示された後述するカーソル２３ｃを上下左右に移動させ、キーボードモードのときは、画像情報２２ａの中のキーボード２３ｂの中のキーを押し下げるのに使用する。
【００１５】
ファンクションボタン２６ｂは前記確定ボタン２６ｃと協働して慣用されているパソコン用マウスに装備されている確定ボタン２６ｃ（左クリック）と、キャンセルボタン（右クリック）とに対応する機能が付与されており、これらによって、後述するカーソル２３ｃの動作を確定し、あるいは取り消しをするため使用される。は前記リングスイッチ２６ｄの配されており、
【００１６】
前記リングスイッチ２６ｄは、表示画面２３上に表示されるカーソル２３ｃを移動させるためのカーソルボタンとして作用するものであり、上下のボタンを個別に押圧操作することによってカーソル２３ｃを表示画面２３上で上下に移動させ、左右のボタンを個別に押圧操作することによって左右に移動させる。なお、記確定ボタン２６ｃはリングスイッチ２６ｄの中心部に配置されており、カーソル２３ｃを操作するリングスイッチ２６ｄからの距離を最短にしている。
【００１７】
カーソルボタンたるリングボタンボタン２６ｄの下方には、数字ボタン２６ｈの他、アスタリスクボタン２６ｊ、およびシャープボタン２６ｋが配置されている。数字ボタンは数字の入力以外に画面のスクロールや漢字変換、あるいは、バックスペースキーとして使用され、アスタリスクボタン２６ｊ、およびシャープボタン２６ｋはそれぞれシフトキーや、ページアップキーとして使用される。
【００１８】
１５は上記遠隔操作システム１０を動作させるためのソフトウェアである。ソフトウェア１５は前記パソコン２０へインストールされるサーバー用ソフトウェア１５ａ、携帯電話機２５へインストールされる携帯電話用ソフトウェア１５ｂ、及び代理パソコン３０へインストールされる代理サーバー用ソフトウェア１５ｃを含んでいる。
【００１９】
次に、ソフトウェア１５の内容を説明する。サーバー用ソフトウェア１５ａには、携帯電話機２５から直接に、あるいはそれらの間を中継する代理パソコン３０を介して間接に伝送される入力情報２３ｄを、パソコン２０を動作させるための信号に変換する入力変換ソフトウェアと、表示画面２２に表示された画像情報２２ａを携帯電話機２５へ伝送するための出力変換ソフトウェア、および携帯電話機２５の認識情報を処理するための携帯電話認識ソフトウェアとが含まれる。
【００２０】
携帯電話用ソフトウェア１５ｂは、前記画像表示盤２３上にパソコン２０から伝送される画像情報２２ａの入力信号に変換する入力変換ソフトウェアを含む。この入力変換ソフトウェアには前記画像情報２２ａを携帯電話機２５の表示画面２３へ画像情報２３ａとして表示し、その画像が小さ過ぎて不鮮明なときには拡大して表示し、あるいは元のサイズに復帰させるための縮小拡大手段を含む。また、入力変換ソフトウェアには画像情報２２ａをなす文字や画像が綺麗に見える平準化縮小処理と、拡大表示する際に働く補完処理（線形補完、ラグランジュ補完など）が含まれている。
【００２１】
携帯電話用ソフトウェア１５ｂには、前記入力変換ソフトウェアによって変換された画像情報２２ａの中に、キーボード２３ｂとカーソル２３ｃとの操作用画像を加える表示ソフトウェアが含まれる。ここで、キーボード２３ｂは図３で示すように、表示画面２３の下面に挿入され、カーソル２３ｃは画像情報２３ａの中に移動可能に表示される。
【００２２】
前記携帯電話用ソフトウェア１５ｂには、さらに、表示画面２３中のカーソル２３ｃの移動やファンクションボタン２６ｄのボタン操作、および、確定ボタン２６ｃなどのボタン操作を行うための操作ボタン割付ソフトウェアと、前記キーボード２３ｂやカーソル２３ｃ、あるいは操作ボタン２６などから出力される操作情報をパソコン２０、あるいは代理パソコン３０へ伝送するための出力変換ソフトウェアとが含まれる。
【００２３】
また、代理サーバー用ソフトウェア１５ｃはパソコン２０と携帯電話機２５との間で送受される情報や信号のための通信フォーマットの変換や、セキュリティ向上のために必要な場合に加えられるが、その構成と作用は周知に属する。
【００２４】
この実施例は以上のように構成されているから、パソコン２０（および代理パソコン３０）が動作している環境で、携帯電話機２５の操作ボタン２６を操作してパソコン２０に割り当てられた暗証番号を入力すると、その信号はサーバー用ソフトウェア１５ａによって処理され、入力された暗証番号が予め登録された特定の電話機と一致していれば、インターネット１２を介して携帯電話機２５とパソコン２０とが接続される。
【００２５】
携帯電話機２５とパソコン２０とが接続されると、携帯電話機２５にパソコン２０の表示画面２２に示される画像情報２２ａと同じ画像が、インターネット１２を介して携帯電話機２５へ伝送され、その表示画面２３上に縮小して表示される。また、ここで表示される画像２３ａは操作ボタン２６の操作によって拡大あるいは縮小表示が可能であるから、表示画面２３が比較的小型であっても読解の難しさはなく、携帯電話機２５のボタン操作、換言すればパソコン２０の操作になんらの支障もない。
【００２６】
また、携帯電話機２５の表示画面２３にはキーボード２３ｂとカーソル２３ｃとが表示されるから、操作ボタン２６を操作してカーソル２３ｃを表示画面２３上で必要な位置に移動させ、あるいは必要な文字を入力した後に確定ボタン２６ｃを操作することによって、その操作が入力情報２３ｄとして、インターネット１２を介してパソコン２０へ伝送される。
【００２７】
以上のように、この発明ではサーバーたるパソコン２０と携帯電話機２５とがインターネット１２を介して接続され、相互に情報の交換が可能となる構成を採用したから、従来のモバイルギヤたるパソコンに代えて携帯電話機２５を用い、それによって遠方にあるパソコン２０を操作して、情報を伝送したり受信したりすることができる。
【産業上の利用可能性】
【００２８】
この発明は遠隔地にあるパソコンを携帯電話機によって操作可能としたものであるから、会社と社外で活動する営業員との連絡ばかりでなく、資材倉庫と資材運搬担当者との連絡などの用途にも適用できる。
【図面の簡単な説明】
【００２９】
【図１】本願発明の実施方法を示した説明図である。
【図２】携帯電話機の正面図である。
【図３】携帯電話機の表示画面を示す拡大正面図である。
【符号の説明】
【００３０】
１０    パソコン遠隔操作システム
１２    インターネット
１５ａ    サーバー用ソフトウェア
１５ｂ    携帯電話用ソフトウェア
１５ｃ    代理サーバー用ソフトウェア
２０    パソコン（コンピュータ）
２２、２３  表示画面  
２２ａ    パソコンの画像情報（出力情報）
２３ａ    縮小された画像情報
２３ｂ    キーボード
２３ｃ    カーソル
２３ｄ    入力情報
２５    携帯電話機
２６    操作ボタン
２６ａ    ファンクションボタン（メニューボタン）
２６ｂ    ファンクションボタン（右クリック）
２６ｃ    確定ボタン（左クリック）
２６ｄ    カーソルボタン
２６ｅ    通話ボタン
２６ｆ    遮断ボタン
２６ｈ    数字ボタン
２６ｊ    アスタリスクボタン
２６ｋ    シャープボタン
２７    操作盤
３０    代理パソコン
【図１】
2006197299.tif 000003
【図２】
2006197299.tif 000004
【図３】
2006197299.tif 000005